(57)【特許請求の範囲】
【請求項１】
腹側部及び背側部それぞれの両側縁部領域間に亘って複数本の弾性部材が配され、前記腹側部及び前記背側部それぞれの両側縁部が融着されて形成された接合部を有するパンツ型使い捨ておむつであって、
前記接合部は、複数個の独立したエンボス部から構成されており、該エンボス部により前記弾性部材の弾性機能が喪失されており、
前記腹側部及び前記背側部それぞれの両側縁部に位置する前記接合部間の長さは、ウエスト開口部で最も広く、該ウエスト開口部から一対のレッグ開口部に向かって漸減するように形成されており、
複数個の前記エンボス部は、それらの幅が前記ウエスト開口部から一対の前記レッグ開口部に向かって漸増するように形成されているパンツ型使い捨ておむつ。
【請求項２】
前記エンボス部は、その外形形状が、矩形状、三角形状、円形状、楕円形状又は図柄エンボスである請求項１に記載のパンツ型使い捨ておむつ。
【請求項３】
前記エンボス部は、前記図柄エンボスである請求項２に記載のパンツ型使い捨ておむつ。
【請求項４】
複数本の前記弾性部材は、それらの伸長時の伸長応力が同じである請求項１〜３の何れか１項に記載のパンツ型使い捨ておむつ。
【請求項５】
複数本の前記弾性部材は、それらの伸長時の伸長応力が前記ウエスト開口部から一対の前記レッグ開口部に向かって漸増するように形成されている請求項１〜３の何れか１項に記載のパンツ型使い捨ておむつ。
【発明の詳細な説明】
【技術分野】
【０００１】
本発明は、使い捨ておむつ等のパンツ型使い捨ておむつに関する。
【背景技術】
【０００２】
従来より、表面シート、裏面シート及び液保持性の吸収体を備え、腹側部の両側縁部と背側部の両側縁部とを融着して形成された一対のサイドシール部を有するパンツ型の吸収性物品が種々提案されている。
例えば、特許文献１には、使用後の引き裂き易さを向上させるために、サイドシール部を構成する複数の接合部が、サイドシール部の中央において最も幅の狭い最小幅接合部を有しており、接合部の幅が、サイドシール部の上端部及び下端部それぞれから最小幅接合部に向けて狭くなるように形成されているパンツ型使い捨ておむつが開示されている。また、特許文献２には、履かせ易さやずり落ち難さを向上させるために、前身頃及び後身頃それぞれの両側縁部における腰部区間、脇上部区間及び脇下部区間に弾性部材を配し、その伸縮力を脇下部区間≧脇上部区間＞腰部区間としたパンツ型使い捨ておむつが開示されている。
【０００３】
しかしながら、特許文献１及び２の何れにも、パンツ型使い捨ておむつの備えるウエスト弾性部材やレッグ弾性部材等の弾性部材と、サイドシール部を構成する接合部との関係について何ら記載されておらず、特に、弾性部材が、接合部により弾性機能を喪失されていることについて何ら記載されていない。
【０００４】
また、特許文献３には、脚回りのフィット性を向上させるために、一対のサイドシール部を構成する接合部同士の間隔を脚開口部側ほど外方に広げ、脚回り弾性部材の有効伸長長さを長くしたパンツ型使い捨ておむつが開示されている。
【０００５】
しかしながら、特許文献３に記載のパンツ型使い捨ておむつのように、接合部同士の間隔を脚開口部側ほど外方に広げると、ずり落ち難さを向上させることができない。
【先行技術文献】
【特許文献】
【０００６】
【特許文献１】特開２００８−１３６６５１号公報
【特許文献２】特開２００１−１７８７７０号公報
【特許文献３】特開平１１−３３２９１２号公報
【発明の概要】
【発明が解決しようとする課題】
【０００７】
したがって、本発明の課題は、パンツ型使い捨ておむつの備えるウエスト弾性部材やレッグ弾性部材等の弾性部材と、接合部とを調整することにより、装着時にずり落ち難いパンツ型使い捨ておむつを提供することにある。
【課題を解決するための手段】
【０００８】
本発明は、腹側部及び背側部それぞれの両側縁部領域間に亘って複数本の弾性部材が配され、前記腹側部及び前記背側部それぞれの両側縁部が融着されて形成された接合部を有するパンツ型使い捨ておむつであって、前記接合部は、エンボス部から構成されており、該エンボス部により前記弾性部材の弾性機能が喪失されており、前記腹側部及び前記背側部それぞれの両側縁部に位置する前記接合部間の長さは、ウエスト開口部で最も広く、該ウエスト開口部から一対のレッグ開口部に向かって漸減するように形成されているパンツ型使い捨ておむつを提供するものである。
【発明の効果】
【０００９】
本発明のパンツ型使い捨ておむつによれば、装着時にずり落ち難く、使用感が向上する。
【図面の簡単な説明】
【００１０】
【図１】図１は、本発明の第１実施形態であるパンツ型使い捨ておむつの斜視図である。
【図２】図２は、図１に示すパンツ型使い捨ておむつを展開して伸長した状態を表面シート側から見た展開平面図である。
【図３】図３は、図１に示すパンツ型使い捨ておむつの要部Ｐを拡大した拡大平面図である。
【図４】図５は、本発明の第２実施形態であるパンツ型使い捨ておむつを展開して伸長した状態の展開平面図である。
【発明を実施するための形態】
【００１１】
以下、本発明のパンツ型使い捨ておむつの好ましい第１実施形態について、図１〜図３に基づいて説明する。
【００１２】
第１実施形態のパンツ型使い捨ておむつ１Ａは、腹側部Ａの両側縁部領域６Ａ，６Ａ間及び背側部Ｂの両側縁部領域６Ｂ，６Ｂ間に亘って複数本の弾性部材８が配され、腹側部Ａの両側縁部６ａ，６ａ及び背側部Ｂの両側縁部６ｂ，６ｂが合掌状に融着されて形成された接合部７，７を有している。
第１実施形態のパンツ型使い捨ておむつ１Ａは、図１，図２に示すように、中心線ＣＬに対して左右対称に形成されている。従って以下の説明では、左右対称な部分については、主に、右側について説明する。
【００１３】
第１実施形態のパンツ型使い捨ておむつ１Ａについて、詳述すると、第１実施形態のパンツ型使い捨ておむつ１Ａ（以下、「おむつ１Ａ」ともいう。）は、図２に示すように、液透過性の表面シート２と、液不透過性（撥水性も含む）の裏面シート３と、両シート２，３間に介在する吸収体４とを有する実質的に縦長の吸収性本体５、及び吸収性本体５の裏面シート側に配され接着固定された外層体６を備えている。おむつ１Ａは、図２に示すように、その長手方向（以下「Ｙ方向」という。Ｙ方向：中心線ＣＬに平行な方向をいう。）に、腹側部Ａ、股下部Ｃ及び背側部Ｂを有している。おむつ１Ａの腹側部Ａは、装着時に、装着者の腹側に配される部位であり、背側部Ｂは、装着者の背側に配される部位であり、股下部Ｃは、装着者の股間部に配される部位である。
【００１４】
おむつ１Ａにおいて、吸収体４は、長手方向（Ｙ方向）中央部分が内方に括れた砂時計状（図１参照）であり、表面シート２及び裏面シート３は、それぞれ長方形状であり、図２に示すように、吸収体４の長手方向（Ｙ方向）の両端縁から延出した部分において互いに接合され、幅方向（以下「Ｘ方向」という。Ｘ方向：おむつ１Ａの長手方向に延びる中心線ＣＬに垂直な方向をいう。）の両端縁から延出した部分においても互いに接合されている。このように接合することにより、縦長の長方形状の吸収性本体５が形成されている。
【００１５】
外層体６は、図２に示すように、吸収性本体５の外方全域に亘って延出しており、長手方向（Ｙ方向）中央部において内方に括れている。おむつ１Ａにおける外層体６の腹側部Ａの両側縁部６ａ，６ａの内面と背側部Ｂの両側縁部６ｂ，６ｂの内面同士を互いに重ね合わせ、合掌状に融着して、一対の接合部７，７を形成することにより、図１に示す、ウエスト開口部ＷＯ及び一対のレッグ開口部ＬＯ，ＬＯを有するパンツ型の使い捨ておむつ１Ａが形成される。
【００１６】
腹側部Ａの両側縁部６ａ，６ａ及び背側部Ｂの両側縁部６ｂ，６ｂに位置する接合部７，７間の長さは、ウエスト開口部ＷＯで最も広く、ウエスト開口部ＷＯから一対のレッグ開口部ＬＯ，ＬＯに向かって漸減するように形成されている。ここで、「接合部７，７間の長さ」とは、図１に示すおむつ１Ａに基づき説明すると、おむつ１Ａを幅方向（Ｘ方向）に伸長させた状態での長さを意味する。第１実施形態のおむつ１Ａにおいては、接合部７は、複数個の独立したエンボス部７０から構成されている。複数個のエンボス部７０は、図２，図３に示すように、腹側部Ａ及び背側部Ｂそれぞれの側縁部６ａ，６ｂに沿って、長手方向（Ｙ方向）に所定間隔を開けて配されている。腹側部Ａのエンボス部７０（以下、「腹側エンボス部７０ａ」ともいう。）及び背側部Ｂのエンボス部７０（以下、「背側エンボス部７０ｂ」ともいう。）は、図１に示すように、おむつ１Ａの同じ位置において、互いに対応するように、同形同大に形成されている。以下、腹側エンボス部７０ａ及び背側エンボス部７０ｂについて、具体的に説明する。
【００１７】
腹側エンボス部７０ａは、腹側部Ａにおける外層体６の両側縁部６ａそれぞれに沿って、長手方向（Ｙ方向）に所定間隔を開けて、８個〜２０個配されていることが好ましく、第１実施形態の腹側エンボス部７０ａは、図１に示すように、一方の側縁部６ａに６個配されている。第１実施形態の６個の腹側エンボス部７０ａは、図２，図３に示すように、互いに重ならないように長手方向（Ｙ方向）に略等間隔を空けて配されており、６個の腹側エンボス部７０ａは、図２，図３に示すように、それらの幅が、ウエスト開口部ＷＯから一対のレッグ開口部ＬＯ，ＬＯに向かって漸増するように形成されている。言い換えれば、腹側部Ａにおける両側縁６ａ，６ａに位置する腹側エンボス部７０ａ，７０ａ同士の間の長さは、ウエスト開口部ＷＯで最も広く、ウエスト開口部ＷＯから一対のレッグ開口部ＬＯ，ＬＯに向かって漸次減少するように形成されている。背側エンボス部７０ｂについても、腹側エンボス部７０ａと同様に、背側部Ｂにおける両側縁６ａ，６ａに位置する背側エンボス部７０ｂ，７０ｂ同士の間の長さは、ウエスト開口部ＷＯで最も広く、ウエスト開口部ＷＯから一対のレッグ開口部ＬＯ，ＬＯに向かって漸次減少するように形成されている。
【００１８】
おむつ１Ａを幅方向（Ｘ方向）に伸長させた状態でのウエスト開口部ＷＯにおける幅は、３７５ｍｍ〜４２５ｍｍであることが好ましい。おむつ１Ａを幅方向（Ｘ方向）に伸長させた状態での腹側エンボス部７０ａ，７０ａ（背側エンボス部７０ｂ，７０ｂ）同士の間の長さは、最もウエスト開口部ＷＯ寄りでの長さが、１ｍｍ〜９ｍｍであることが好ましく、３ｍｍ〜７ｍｍであることが更に好ましい。おむつ１Ａを幅方向（Ｘ方向）に伸長させた状態での腹側エンボス部７０ａ，７０ａ（背側エンボス部７０ｂ，７０ｂ）同士の間の長さは、最もレッグ開口部ＬＯ寄りでの長さが、１ｍｍ〜７ｍｍであることが好ましく、３ｍｍ〜５ｍｍであることが更に好ましい。ここで、エンボス部７０同士の間の長さとは、両側縁部６ａ，６ａ、６ｂ，６ｂに配された一方のエンボス部７０と他方のエンボス部７０との間の最短距離を意味する。
【００１９】
６個の腹側エンボス部７０ａ及び６個の背側エンボス部７０ｂそれぞれは、図２，図３に示すように、平面視して、その外形形状が、矩形状、三角形状、円形状、楕円形状であることが好ましく、使用感を向上させる観点からキャラクターのイメージを付与した図柄エンボスであることが更に好ましい。図柄エンボスとしては、具体的には、図２，図３に示すようなハート状模様、ウサギ形状等の動物形状、アニメのキャラクター形状等が挙げられる。第１実施形態においては、６個の腹側エンボス部７０ａ及び６個の背側エンボス部７０ｂそれぞれは、図１〜図３に示すように、平面視して、その外形形状がハート状模様に形成されており、ハート状模様の頂点７１が、図３に示すように、幅方向外方（中心線ＣＬの反対側）に向くように配されている。
【００２０】
第１実施形態においては、６個の腹側エンボス部７０ａ及び６個の背側エンボス部７０ｂであるハート状模様の図柄エンボスは、その面積が、ウエスト開口部ＷＯから一対のレッグ開口部ＬＯ，ＬＯに向かって漸増するように形成されている。最もウエスト開口部ＷＯ寄りの腹側エンボス部７０ａ（背側エンボス部７０ｂ）の面積は、５ｍｍ2〜３５ｍｍ2であることが好ましく、１０ｍｍ2〜２０ｍｍ2であることが更に好ましい。ここでエンボス部７０の面積とは、エンボスされた部分の面積であり、具体的には、エンボス部７０を平面視して、エンボス処理によりフィルム状とされた部分であり、平面視して、エンボス処理部の底面の部分の面積のことを示す。
【００２１】
外層体６は、図２に示すように、パンツ型使い捨ておむつの最外表面となる外層シート６１及び外層シート６１の内面側に配されている内層シート６２から形成されている。外層体６を構成する外層シート６１及び内層シート６２の間には、図１，図２に示すように、腹側部Ａの両側縁部領域６Ａ，６Ａ間及び背側部Ｂの両側縁部領域６Ｂ，６Ｂ間に亘って複数本の弾性部材８が配されている。詳述すると、外層体６を構成する外層シート６１及び内層シート６２の間には、図１，図２に示すように、弾性部材８であるウエスト弾性部材８１、胴廻り弾性部材８２及びレッグ弾性部材８３が配されており、腹側部Ａ及び背側部Ｂの両側縁部領域６Ａ，６Ａ，６Ｂ，６Ｂそれぞれには、ウエスト弾性領域（ウエストギャザー）、胴回り弾性領域（胴回りギャザー）及び環状の一対のレッグ弾性領域（レッグギャザー）が形成されている。更に詳述すると、ウエスト弾性領域（ウエストギャザー）は、複数本のウエスト弾性部材８１を、図１，図２に示すように、吸収性本体５より長手方向（Ｙ方向）外方に間欠的に配し、且つ外層体６の腹側部Ａにおける両側縁６ａ１，６ａ１及び背側部Ｂにおける両側縁６ｂ１，６ｂ１間に亘ってそれぞれ伸長状態で固着することにより形成されている。胴回り弾性領域（胴回りギャザー）も同様に、複数本の胴廻り弾性部材８２を、図１，図２に示すように、ウエスト弾性部材８１と外層体６の括れとの間に長手方向（Ｙ方向）に間欠的に配し、且つ外層体６の腹側部Ａにおける両側縁６ａ１，６ａ１及び背側部Ｂにおける両側縁６ｂ１，６ｂ１間に亘って伸長状態で固着することにより形成されている。
【００２２】
レッグ弾性領域（レッグギャザー）は、腹側部Ａにおいては、複数本のレッグ弾性部材８３を、図１，図２に示すように、腹側部Ａの一方（図２の左側）の側縁６ａ１から腹側部Ａの一方（図２の左側）の括れに沿って固着し、股下部Ｃを通って、腹側部Ａの他方（図２の右側）の括れに沿って腹側部Ａの他方（図２の右側）の側縁６ａ１に至るまで伸長状態で固着し、股下部Ｃの中央部（中心線ＣＬを含む部位）でカットすることにより形成されている。同様に、レッグ弾性領域（レッグギャザー）は、背側部Ｂにおいて、複数本のレッグ弾性部材８３を、図１，図２に示すように、背側部Ｂの一方（図２の左側）の側縁６ｂ１から背側部Ｂの一方（図２の左側）の括れに沿って固着し、股下部Ｃを通って、背側部Ｂの他方（図２の右側）の括れに沿って背側部Ｂの他方（図２の右側）の側縁６ｂ１に至るまで伸長状態で固着し、股下部Ｃの中央部でカットすることにより形成されている。
【００２３】
複数本の弾性部材８は、第１実施形態においては、それらの伸長時の伸長応力を同じにしている。詳述すると、第１実施形態においては、弾性部材８であるウエスト弾性部材８１及び胴廻り弾性部材８２は、その材料を統一し、その太さを同じにし、その伸長倍率も同じ値に設定している。弾性部材８であるウエスト弾性部材８１及び胴廻り弾性部材８２の材料としては、後述するように、通常、使い捨ておむつ等の吸収性物品に用いられるものであれば、特に制限なく用いることができる。第１実施形態においては、伸長率１００％に伸長した時の応力が２５ｇｆ（５ｇｆ〜４５ｇｆの範囲の応力であることが好ましい）の弾性部材８（ウエスト弾性部材８１及び胴廻り弾性部材８２）を、同じ伸長率１２０％（１００％〜１５０％の範囲とするのが好ましい）で伸長させた状態で外層シート６１及び内層シート６２の間に配している。尚、伸長率は、自然長に対する、伸長されて増加した分の長さの割合であり、例えば、長さ１０ｃｍのものを２０ｃｍに伸長するとその伸長率は１００％とされる。
【００２４】
本発明においては、エンボス部７０により弾性部材８の弾性機能が喪失されている。言い換えれば、第１実施形態においては、外層体６の腹側部Ａにおける両側縁部６ａ，６ｂ及び背側部Ｂにおける両側縁部６ｂ，６ｂそれぞれに位置する弾性部材８が、エンボス部７０を形成するエンボス処理によりカットされている。詳述すると、図３に示すように、外層体６の腹側部Ａにおける両側縁６ａ１，６ａ１間に亘ってそれぞれ伸長状態で固着されたウエスト弾性部材８１、胴廻り弾性部材８２及びレッグ弾性部材８３は、外層体６の腹側部Ａにおける両側縁部６ａ，６ａにおいて、全て、腹側エンボス部７０ａを形成するエンボス処理によりカットされている。同様に、外層体６の背側部Ｂにおける両側縁６ｂ１，６ｂ１間に亘ってそれぞれ伸長状態で固着されたウエスト弾性部材８１、胴廻り弾性部材８２及びレッグ弾性部材８３は、外層体６の背側部Ｂにおける両側縁部６ｂ，６ｂにおいて、全て、背側エンボス部７０ｂを形成するエンボス処理によりカットされている。第１実施形態においては、上述したように、６個の腹側エンボス部７０ａ及び６個の背側エンボス部７０ｂがハート状模様の図柄エンボスであり、その面積が、ウエスト開口部ＷＯから一対のレッグ開口部ＬＯ，ＬＯに向かって漸増するように形成されている。その為、ウエスト開口部ＷＯから一対のレッグ開口部ＬＯ，ＬＯに向かって、腹側エンボス部７０ａ又は背側エンボス部７０ｂを形成するエンボス処理により切断する弾性部材８の本数が多くなる。
【００２５】
本発明においては、上述したように、エンボス部７０により弾性部材８の弾性機能が喪失されており、腹側部Ａの両側縁部６ａ，６ａ及び背側部Ｂの両側縁部６ｂ，６ｂに位置する接合部７，７間の長さは、おむつ１Ａの伸長状態において、ウエスト開口部ＷＯで最も広く、ウエスト開口部ＷＯから一対のレッグ開口部ＬＯ，ＬＯに向かって漸減するように形成されている。言い換えれば、本発明においては、複数本の弾性部材８は、それらの有効伸縮長が、ウエスト開口部ＷＯから一対のレッグ開口部ＬＯ，ＬＯに向かって漸次減少している。第１実施形態においては、複数本の弾性部材８（ウエスト弾性部材８１及び胴廻り弾性部材８２）は、それらの伸長時の伸長応力を同じにしている。その為、弾性部材８の張力が、ウエスト開口部ＷＯから一対のレッグ開口部ＬＯ，ＬＯに向かって徐々に高くなっている。
【００２６】
第１実施形態のパンツ型使い捨ておむつ１Ａの形成材料について説明する。
表面シート２、裏面シート３及び吸収体４としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。吸収体４としては、吸収性ポリマーの粒子及び繊維材料から構成され、ティッシュペーパ（図示せず）によって被覆されているものを用いることができる。
【００２７】
外層体６を構成する外層シート６１と背側部Ｂの内層シート６２としては、通常、使い捨ておむつ等の吸収性物品に用いられるものであれば、特に制限なく用いることができる。例えば、外層シート５１及び内層シート５２としては、撥水性の不織布等を用いることができる。
【００２８】
ウエスト弾性部材８１、胴廻り弾性部材８２、レッグ弾性部材８３としては、通常、使い捨ておむつ等の吸収性物品に用いられるものであれば、特に制限なく用いることができる。例えば、天然ゴム、ポリウレタン、発泡ウレタン、ポリスチレン−ポリイソプレン共重合体、ポリスチレン−ポリブタジエン共重合体、アクリル酸エチル−エチレン等のポリエチレン−αオレフィン共重合体等からなる伸縮性の材料等を用いることができる。
【００２９】
腹側部Ａの両側縁部６ａ，６ａ及び背側部Ｂの両側縁部６ｂ，６ｂの融着には、ヒートエンボス、超音波エンボス、高周波エンボス等が用いられる。尚、特に、エンボス部７０が図柄エンボスである場合には、図柄エンボスの外形形状が潰れないように、エンボス処理後の腹側エンボス部７０ａ又は背側エンボス部７０ｂの領域内に、弾性部材８が残存したとしても、その伸縮性はエンボス処理により、発現しないように処理されていることが好ましい。
【００３０】
上述した本発明の第１施形態のパンツ型使い捨ておむつ１Ａを使用した際の作用効果について説明する。
第１実施形態のおむつ１Ａは、図１〜図３に示すように、腹側部Ａの両側縁部６ａ，６ａ及び背側部Ｂの両側縁部６ｂ，６ｂに位置する接合部７，７間の長さが、おむつ１Ａの伸長状態において、ウエスト開口部ＷＯで最も広く、ウエスト開口部ＷＯから一対のレッグ開口部ＬＯ，ＬＯに向かって漸減するように形成されている。腹側部Ａの両側縁部６ａ，６ａ及び背側部Ｂの両側縁部６ｂ，６ｂに位置する弾性部材８の弾性機能は、エンボス部７０により喪失されており、複数本の弾性部材８は、それらの有効伸縮長が、ウエスト開口部ＷＯから一対のレッグ開口部ＬＯ，ＬＯに向かって漸次減少している。その為、おむつ１Ａは、装着時にずり落ち難く、使用感が向上する。特に、第１実施形態のおむつ１Ａにおいては、複数本の弾性部材８（ウエスト弾性部材８１及び胴廻り弾性部材８２）の伸長時の伸長応力が同じである。その為、弾性部材８の張力が、ウエスト開口部ＷＯから一対のレッグ開口部ＬＯ，ＬＯに向かって徐々に高くなっており、おむつ１Ａは、腹囲変動や脚の動きに影響を受けにくい鼠蹊部においておむつ１Ａを固定できるので、更に装着時にずり落ち難く、使用感が向上する。
【００３１】
また、第１実施形態のおむつ１Ａにおいては、複数本の弾性部材８（ウエスト弾性部材８１及び胴廻り弾性部材８２）の伸長時の伸長応力が同じである。その為、おむつ１Ａを履かせる際に、おむつ１Ａのウエスト開口部ＷＯから両手を入れておむつ１Ａを均等な力で開かせることができるので、履かせ易く、使用感が向上する。
【００３２】
また、第１実施形態のおむつ１Ａにおいては、図１〜図３に示すように、接合部７が複数個の独立したエンボス部７０から構成されている。その為、おむつ１Ａの接合部７は、剛性の高いエンボス部７０が長手方向（Ｙ方向）に分散して形成されているため、接合部７の全体が硬くなり難く、風合いが向上すると共に、使用後に引き裂き易い。
【００３３】
また、第１実施形態のおむつ１Ａにおいては、複数個のエンボス部７０は、図１〜図３に示すように、それらの幅（面積）が、ウエスト開口部ＷＯから一対のレッグ開口部ＬＯ，ＬＯに向かって漸増するように形成されている。その為、特に、エンボス部７０が図柄エンボスである場合には、レッグ開口部ＬＯ寄りの図柄エンボスの外形形状を大きく形成することができるので、図柄エンボスを明瞭に付与することができる。
【００３４】
次に、本発明の第２実施形態のパンツ型使い捨ておむつについて、図４に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００３５】
第２実施形態のおむつ１Ｂは、図４に示すように、７個の腹側エンボス部７０ａ及び７個の背側エンボス部７０ｂが配されており、各エンボス部それぞれの幅及び面積は同じである。また、７個の腹側エンボス部７０ａ及び７個の背側エンボス部７０ｂは、ウエスト開口部ＷＯから一対のレッグ開口部ＬＯ，ＬＯに向かって中心線ＣＬ寄りに徐々に傾斜するように配されている。このように配することにより、腹側部Ａにおける両側縁６ａ，６ａに位置する腹側エンボス部７０ａ，７０ａ同士の間の長さは、ウエスト開口部ＷＯで最も広く、ウエスト開口部ＷＯから一対のレッグ開口部ＬＯ，ＬＯに向かって漸次減少するように形成されている。背側エンボス部７０ｂについても、同様である。
【００３６】
第２実施形態のおむつ１Ｂにおいては、複数本の弾性部材８は、それらの伸長時の伸長応力がウエスト開口部ＷＯから一対の前記レッグ開口部ＬＯ，ＬＯに向かって漸増するように形成されている。詳述すると、第２実施形態においては、弾性部材８である胴廻り弾性部材８２の太さや伸長倍率を調整し、その伸長時の伸長応力を、弾性部材８であるウエスト弾性部材８１の伸長時の伸長応力よりも高く設定している。複数本の胴廻り弾性部材８２は、更に、太さや伸長倍率を調整し、その伸長時の伸長応力が、ウエスト開口部ＷＯ側から一対の前記レッグ開口部ＬＯ，ＬＯ側に向かって漸増するように形成されている。第２実施形態においては、伸長率１００％に伸長した時の応力が２５ｇｆ（５ｇｆ〜４５ｇｆの範囲の応力であることが好ましい）のウエスト弾性部材８１を、伸長率１２０％（１００％〜１５０％の範囲とするのが好ましい）で伸長させた状態で外層シート６１及び内層シート６２の間に配している。また、第２実施形態においては、伸長率１００％に伸長した時の応力が１０ｇｆ（５ｇｆ〜１５ｇｆの範囲の応力であることが好ましい）の胴廻り弾性部材８２を、伸長率１２０％（１００％〜１５０％の範囲とするのが好ましい）で伸長させた状態で外層シート６１及び内層シート６２の間に、最もウエスト開口部ＷＯ寄りに配し、伸長率１００％に伸長した時の応力が２０ｇｆ（１０ｇｆ〜３０ｇｆの範囲の応力であることが好ましい）の胴廻り弾性部材８２を、伸長率１２０％（１００％〜１５０％の範囲とするのが好ましい）で伸長させた状態で外層シート６１及び内層シート６２の間に、最もレッグ開口部ＬＯ寄りに配している。尚、レッグ弾性部材８３はウエスト弾性部材８１と同じである。
【００３７】
第２実施形態のパンツ型使い捨ておむつ１Ｂの形成材料について説明する。第２実施形態のおむつ１Ｂについては、第１実施形態のパンツ型使い捨ておむつ１Ａの形成材料と同様である。
【００３８】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態のパンツ型使い捨ておむつ１Ａの効果の説明が適宜適用される。
【００３９】
第２実施形態のおむつ１Ｂは、図４に示すように、複数個の独立したエンボス部７０それぞれの幅及び面積が同じであり、小さく構成されている。その為、おむつ１Ａの接合部７は、剛性の高いエンボス部７０が長手方向（Ｙ方向）に小さく分散して形成されているため、接合部７の全体が更に硬くなり難く、風合いが向上すると共に、使用後に更に引き裂き易い。
【００４０】
また、第２実施形態のおむつ１Ｂは、図４に示すように、複数本の弾性部材８（ウエスト弾性部材８１及び胴廻り弾性部材８２）それぞれの伸長時の伸長応力をウエスト開口部ＷＯから一対の前記レッグ開口部ＬＯ，ＬＯに向かって漸増するように形成している。その為、おむつ１Ａは、腹囲変動や脚の動きに影響を受けにくい鼠蹊部においておむつ１Ｂを固定できるので、更に装着時にずり落ち難く、使用感が向上する。
【００４１】
本発明のパンツ型使い捨ておむつは、上述の第１，第２実施形態のパンツ型使い捨ておむつに何ら制限されるものではなく、適宜変更可能である。また、上述の第１，第２実施形態のパンツ型使い捨ておむつにおける各構成要件は、本発明の趣旨を損なわない範囲で、適宜組み合わせて実施できる。
【００４２】
例えば、上述の第１，第２実施形態のパンツ型使い捨ておむつ１Ａ，１Ｂにおいては、図３，図４に示すように、接合部７が複数個の独立したエンボス部７０から構成されているが、連続した直線状のエンボス部７０から構成されていてもよい。
【００４３】
また、上述の第１実施形態のパンツ型使い捨ておむつ１Ａにおいては、図２，図３に示すように、一方の側縁部６ａ，６ｂに配する腹側エンボス部７０ａ及び背側エンボス部７０ｂの幅を、ウエスト開口部ＷＯから一対のレッグ開口部ＬＯ，ＬＯに向かって漸増させるために、図柄エンボスの面積を徐々に広くして対応しているが、面積が同じ図柄エンボスを、ウエスト開口部ＷＯから一対のレッグ開口部ＬＯ，ＬＯに向かってその個数を増やすことにより対応してもよい。具体的には、最もウエスト開口部ＷＯ寄りの一方の側縁部６ａ，６ｂには、１個のエンボス部７０を配し、そのエンボス部７０と同じ面積の図柄エンボスを、レッグ開口部ＬＯ，ＬＯに向かってその個数を増やして配し、最もレッグ開口部ＬＯ寄りの一方の側縁部６ａ，６ｂには、３個のエンボス部７０を幅方向（Ｘ方向）に並置して対応してもよい。
【００４４】
また、１個のエンボスの最小幅より狭い間隔で複数のエンボスを組み合わせる事で図柄を構成し、大きな一つのエンボスとすることで、接合部７の強度、柔軟性と引き裂き易さを向上させながらエンボス部７０の幅を制御しても良い。
【符号の説明】
【００４５】
１Ａ，１Ｂ  パンツ型使い捨ておむつ
２  表面シート
３  裏面シート
４  吸収体
５  吸収性本体
６  外層体
６Ａ，６Ｂ  側縁部領域
６ａ，６ｂ  側縁部
６ａ１，６ｂ１  側縁
６１  外層シート
６２  内層シート
７  接合部
７０  エンボス部
７０ａ  腹側エンボス部
７０ｂ  背側エンボス部
７１  頂点
８  弾性部材
８１  ウエスト弾性部材
８２  胴廻り弾性部材
８３  レッグ弾性部材
【図１】
0005400556.tif 000002
【図２】
0005400556.tif 000003
【図３】
0005400556.tif 000004
【図４】
0005400556.tif 000005